(57)【特許請求の範囲】
【請求項１】
運搬車両によって搬送されてくるスクラップを一時貯留しつつ解体及び／又は破断及び／又は分別するための隔離された固定ステージを備えたスクラップ処理ヤードであって、
前記固定ステージ上に、各々自走式解体作業車を配置してスクラップの解体及び／又は破断及び／又は分別を行う複数の作業領域を備え、
前記隔離された固定ステージが、運搬車両が走行する走行路に対して位置を高くしてなることを特徴とするステージ型スクラップ処理ヤード。
【請求項２】
前記固定ステージの周縁の荷降ろし位置近傍の基台に立設された支持柱の上に回転自在に設置され、前記スクラップを運搬車両から荷降ろしする荷降ろしローダと、
前記荷降ろしローダのアーム作業領域内のステージ上又はステージに隣接して設置され、前記荷降ろしされたスクラップを切断するシャーとを更に備えたことを特徴とする請求項１に記載のステージ型スクラップ処理ヤード。
【発明の詳細な説明】
【０００１】
【発明の属する技術分野】
本発明は例えば自動車を始めとする各種のスクラップの解体作業に好適な    スクラップ処理ヤードに関するものである。
【０００２】
【従来の技術】
近年の自動車普及の急速な進展に伴い、廃車台数も飛躍的に増大しつつあるのが現状であり、しかも最近の自動車は種々の素材からなる複合部品を数多く使用しているため、解体中の部品毎の素材別の分別作業が極めて煩雑となりつつある。更に、現在では、家電品の廃品回収が販売各社に義務づけられ、廃品を如何にして再生可能な資源とするかも重要な課題となっている。
【０００３】
また、従来のスクラップの解体作業は、一般的に廃車の解体作業向上では自動車スクラップのみを専ら扱い、例えば家電品や建築廃材等の他のスクラップの解体は通常の取り扱い対象外としていたので、各地に各種のスクラップがそれぞれ集積されて解体を待つ状況となりつつある。
【０００４】
種々のスクラップの中には、例えば配水配管のスクラップのように配管部分とバルブ部分のように分別回収すべき異種金属部品が小型硬質でしかも強固に固着しているようなものもあり、このようなものは従来の解体作業車では取り扱うことができないので、多くの場合は分別回収せずに処分していた。この場合、配管部分は比較的廉価な鉄スクラップであり、バルブ部分は比較的高価な砲金などであり、分別回収すれば経済効果が得られるのに対して、一体のまま処理すれば高価な砲金などが無駄になる。
【０００５】
更に、例えば電気洗濯機などのスクラップでは、外側の筐体及び洗濯槽と内部の電動機とを分別解体しなければならず、また電気冷蔵庫でも筐体と内側断熱材およびコンプレッサーなどを分別解体しなければならないが、従来の解体作業車ではブーム先端の開閉作業工具によってこれらの内部の電動機やコンプレッサーを直接取り出すことができず、別の手作業による解体またはやむなく一体のまま処分する等の処理が行われていた。
【０００６】
【発明が解決しようとする課題】
本発明は、解体及び／又は破断及び／又は分別作業中にスクラップや機械等による生身の作業員に対する事故の発生を極力に減少させることができるスクラップ処理ヤードを得ることを目的とする。更に、効率よく搬送、解体及び／又は破断及び／又は分別することができ、しかも分別されたスクラップの品質向上にも繋がるスクラップ処理ヤードを得ることをも目的とする。
【０００７】
【課題を解決するための手段】
請求項１に記載された発明に係るステージ型スクラップ処理ヤードは、運搬車両によって搬送されてくるスクラップを一時貯留しつつ解体及び／又は破断及び／又は分別するための隔離された固定ステージを備えたスクラップ処理ヤードであって、
前記固定ステージ上に、各々自走式解体作業車を配置してスクラップの解体及び／又は破断及び／又は分別を行う複数の作業領域を備え、
前記隔離された固定ステージが、運搬車両が走行する走行路に対して位置を高くしてなるものである。
【０００８】
請求項２に記載された発明に係るステージ型スクラップ処理ヤードは、請求項１に記載の固定ステージの周縁の荷降ろし位置近傍の基台に立設された支持柱の上に回転自在に設置され、前記スクラップを運搬車両から荷降ろしする荷降ろしローダと、
前記荷降ろしローダのアーム作業領域内のステージ上又はステージに隣接して設置され、前記荷降ろしされたスクラップを切断するシャーとを更に備えたものである。
【０００９】
【発明の実施の形態】
本発明においては、運搬車両によって搬送されてくるスクラップを一時貯留しつつ解体及び／又は破断及び／又は分別するための隔離された固定ステージを備えたスクラップ処理ヤードであって、前記固定ステージ上に、各々自走式解体作業車を配置してスクラップの解体及び／又は破断及び／又は分別を行う複数の作業領域を備えることにより、生身の作業員がステージ上に立ち入ることを禁止し、自走式解体作業車のみがステージ上に立ち入ることにすることができる。これにより、効率よく解体及び／又は破断及び／又は分別作業を行うことができ、スクラップや機械等による生身の作業員に対する事故の発生を極端に減少させることができる。
【００１０】
即ち、廃車された自動車によるスクラップ等のように、非鉄金属、プラスチック、ゴム等の素材に応じて分別されなければならない。このために、スクラップの解体及び／又は破断を行う必要も生じる。大きなもの構成が簡略化されているものであれば、荷降ろしローダや手作業によっても行うことが可能であるが、多くの場合には、荷降ろしローダや手作業では充分な解体及び／又は破断及び／又は分別作業が行えないし、手作業で行う場合にはヤード内に作業員が生身で移動することになり、スクラップや機械等による作業員に対する事故の発生の可能性が生じる。そこで、本発明では、ステージ上に、各々自走式解体作業車を配置してスクラップの解体及び／又は破断及び／又は分別を行う複数の作業領域を備えることにより、生身の作業員がステージ上に立ち入ることを禁止し、自走式解体作業車のみがステージ上に立ち入ることにすることができる。これにより、効率よく解体及び／又は破断及び／又は分別作業を行うことができ、スクラップや機械等による生身の作業員に対する事故の発生を極端に減少させることができる。
【００１１】
自走式解体作業車としては、荷降ろしされたスクラップを構成する素材に応じて適宜選択可能である。例えば、スクラップが自動車のシャーシ等のように非鉄金属の分別の必要がないものでは、解体及び／又は破断作業を効率よく行うために、自走車両の車体上に起伏・旋回可能に搭載された油圧作動ブームと、このブーム先端に取付けられた開閉作動するスクラップ解体用の開閉作業工具とを備えた自走式解体作業車が作業領域に配置される。
【００１２】
また、作業効率を向上させるために、前述の自走式解体作業車に、車体の前部又は後部に起伏可能に装備された開閉駆動される左右一対のアームと、これら各アームに取付けられたスクラップ対象物をアーム間で挟持するための挟持具とを更に備えたマルチ型の自走式解体作業車を作業領域に配置してもよい。
【００１３】
また、スクラップが自動車のエンジン等のように非鉄金属の分別の必要があるものでは、解体及び／又は破断及び／又は分別作業を効率よく行うために、作業工具としてリフティングマグネットを備えた自走式解体作業車を作業領域に配置する。このリフティングマグネットを備えた作業車については、単独の作業車であっても、前述のマルチ型の自走式解体作業車の着脱可能な工具の一つとしてもよい。
【００１４】
本発明での作業領域については、複数の自走式解体作業車の各々に対してステージ上の領域を決定されればよく、これらの作業領域については、複数の自走式解体作業車で重複した領域を含むことを禁止しない。
【００１５】
また、離れた作業領域間でのスクラップの受け渡しについて、これら作業領域間を移動する運搬車両、移送コンベア、リフター等のスクラップ受け渡し手段を備えてもよい。
【００１６】
また、本発明では、スクラップ処理ヤードであって、このステージの周縁の荷降ろし位置近傍に設置され、スクラップを運搬車両から荷降ろしする荷降ろしローダと；荷降ろしローダのアーム作業領域内のステージ上又はステージに隣接して設置され、荷降ろしされたスクラップを切断するシャーと；ステージの周縁に設定され、運搬車両を予め定められた方向にのみ走行させるための走行路とを備えたものであるため、効率よく搬送、解体及び／又は破断及び／又は分別することができ、しかも分別されたスクラップの品質向上にも繋がる。
【００１７】
また、運搬車両を予め定められた方向にのみ走行させるための走行路をステージの周縁に設定されており、荷降ろし位置近傍にはスクラップを運搬車両から荷降ろしする荷降ろしローダが設置されているため、予め定められた方向にのみ走行させるための走行路に従っい渋滞も少なく運搬車両が荷降ろし位置に短時間で到達することができ、スクラップの荷降ろしは主にローダによってスムーズに行われ、しかも、荷降ろしを終えた運搬車両は、予め定められた方向にのみ走行させるための走行路によって渋滞なく発車することができる。
【００１８】
尚、本発明での隔離された固定ステージとしては、周縁の走行路に対して、隔離されればよく、例えば、走行路に対して位置が高く又は低くした固定ステージでもよく、塀や壁を用いて走行路を含む周囲に対して隔離された固定ステージでもよい。
【００１９】
荷降ろしされたスクラップは、ローダのアーム作業領域内のステージ上又はステージに隣接して設置されたシャーで切断される。もし、運搬車両が搬送してくるスクラップが全て鉄製のものであれば、ローダによって運搬車両から直接シャーの投入口に投入され、遅滞なく所定の大きさに切断され、別の運搬車両によって運び出されればよい。
【００２０】
【実施例】
図１は本発明のステージ型スクラップ処理ヤードの構成を説明する説明図である。図に示す通り、ステージ型スクラップ処理ヤード(1) は、周囲の運搬車両(30)が走行する走行路(2) に対して約１ｍ高い位置に設置された固定ステージ(3) を備える。
【００２１】
固定ステージ(3) の荷降ろし位置(4) の近傍には、荷降ろしローダ(5) が基台(6) に立設された支持柱(7) の上に回転自在に設置されている。ローダ(6) のアーム(8) の先端には、挟持具(9) が備わり、運搬車両(30)で搬送されたスクラップ(10)を挟持して荷降ろしし、固定ステージ(3) 上の貯留領域(11)又はギロチンシャー(12)の投入口(13)にスクラップ(10)を移す。
【００２２】
荷降ろしが済んだ運搬車両(30)は固定ステージ(3) 周囲の走行路(2) を通って、処理ヤード(1) から帰る。この時、走行路(2) は一方通行であるため、渋滞なくヤード(1) から離れることができる。
【００２３】
固定ステージ(3) 上には、鉄製金属を磁気吸引可能なリフティングマグネット(14)付きのバックホー(15)を有するリフマグ型自走式解体作業車(16)の作業領域(22)と、非鉄金属やプラスチックを除去するために開閉作業工具(17)を先端に備えた油圧作動ブーム(18)と挟持具(19)を備えた左右一対のアーム(20)を車両前部又は後部に備えたマルチ型自走式解体作業車(21)の作業領域(23)とが決められている。
【００２４】
２つの自走式解体作業車(16)(21)は、単独で運搬車両(30)からスクラップ(10)を荷降ろししたり、各作業領域内で共同してスクラップ(10)の解体作業や破断作業や分別作業を行ったりする。尚、各作業領域を含めて固定ステージ(3) 上は、自走式解体作業車(16)(21)のみが移動でき、作業員は生身では立ち入ることができないように取り決めておく。
【００２５】
以上のような構成とするため、運搬車両(30)は荷降ろしのため、一方通行で入り、ローダ(5) で荷降ろしをし、非鉄・不純物の付着した材料はマルチ型自走式解体作業車(21)で解体、破断作業、分別作業を行い、鉄等の磁性体金属は自走式解体作業車(16)で分別作業を行い、分別が終了し、切断の必要な材料はギロチンジャーへ投入して切断処理し、出荷することができ、効率よく搬送、解体及び／又は破断及び／又は分別することができ、しかも分別されたスクラップの品質向上にも繋がる。
【００２６】
また、固定ステージ(3) 上に、２種の自走式解体作業車(16)(21)を配置してスクラップの解体、破断、分別作業を行う複数の作業領域(22)(23)を備えることにより、生身の作業員がステージ上に立ち入ることを禁止し、自走式解体作業車のみがステージ上に立ち入ることにすることができる。これにより、スクラップや機械等による生身の作業員に対する事故の発生を極端に減少させることができる。
【００２７】
【発明の効果】
本発明は以上説明した通り、解体及び／又は破断及び／又は分別作業中にスクラップや機械等による生身の作業員に対する事故の発生を極力に減少させることができるスクラップ処理ヤードを得ることができ、更に、効率よく搬送、解体及び／又は破断及び／又は分別することができ、しかも分別されたスクラップの品質向上にも繋がるスクラップ処理ヤードを得ることができるという効果がある。
【図面の簡単な説明】
【図１】本発明のステージ型スクラップ処理ヤードの構成を説明する説明図である。
【符号の説明】
(1) …ステージ型スクラップ処理ヤード、
(2) …走行路、
(3) …固定ステージ、
(4) …荷降ろし位置、
(5) …荷降ろしローダ、
(6) …基台、
(7) …支持柱、
(8) …アーム、
(9) …挟持具、
(10)…スクラップ、
(11)…貯留領域、
(12)…ギロチンシャー、
(13)…投入口、
(14)…リフティングマグネット、
(15)…バックホー、
(16)…リフマグ型自走式解体作業車、
(17)…開閉作業工具、
(18)…油圧作動ブーム、
(19)…挟持具、
(20)…アーム、
(21)…マルチ型自走式解体作業車
(22)…作業領域、
(23)…作業領域、
(30)…運搬車両、
【図１】
0003765468.tif 000002